【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】  巻き取りロール（２）に少なくとも１枚のウエブ（１）を巻き取り、少なくとも、互いにかつ前記巻き取りロール（２）に平行な、第１のロール（３）、第２のロール（４）及び第３のロール（５）を備え、公称巻き取り位置を有する装置であって、該公称巻き取り位置においては、
前記第１及び第２のロール（３、４）及び前記巻き取りロール（２）は、各々、前記第３のロール（５）に接触し、
前記第１のロール（３）と前記第２のロール（４）との間、前記第１のロール（３）と前記巻き取りロール（２）との間、及び前記第２のロール（４）と前記巻き取りロール（２）との間の接触はいずれもなく、
前記第３のロール（５）の軸で区切られ、前記第１のロール（３）の軸（１７）を含む第１の半平面と前記第３のロール（５）の軸で区切られ、前記第２のロール（４）の軸（１８）を含む第２の半平面との間で規定される第１の角度は、１８０°より小さく、
前記第３のロール（５）の軸で区切られ、前記巻き取りロール（２）の軸を含む第３の半平面と前記第３のロール（５）の軸で区切られ、交線を含む第４の半平面との間で規定される第２の角度は、９０°より大きく、前記交線は、前記第１の角度の二等分線面と前記第１のロール（３）の軸（１７）及び前記第２のロール（４）の軸（１８）とを含む面との間の交線として規定され、
前記公称巻き取り位置においては、
駆動トルクが、前記装置の回転抵抗を相殺するために、前記ウエブ（１）の方向に回転させるように、前記第１、第２及び第３のロール（３、４、５）の少なくとも１つに適用されることを特徴とする装置。
【請求項２】  前記公称巻き取り位置において、前記第３のロール（５）は、前記巻き取り、第１及び第２のロール（２、３、４）に対して自動調心することを特徴とする請求項１に記載の装置。
【請求項３】  前記第１、第２及び第３のロール（３、４、５）は、前記第３の半平面に直交しない、好ましくは前記第３の半平面に略平行な方向に沿って自由に移動することを特徴とする請求項１又は２に記載の装置。
【請求項４】  前記公称巻き取り位置においては、前記第１、第２及び第３のロール（３、４、５）の少なくとも１つの駆動手段は、ベルト及びプーリシステムを備えていることを特徴とする請求項１ないし３のいずれかに記載の装置。
【請求項５】  前記システムは、前記少なくとも１つの駆動ロールにプーリ（４８）を備え、前記プーリは、ベルト（４９）を介して第２のプーリ（５０）に接続され、該プーリ（５０）自身は、ベルト（５１）を介して第３のプーリ（５２）に接続され、前記第３のプーリ（５２）は、モータにより駆動されることを特徴とする請求項４に記載の装置。
【請求項６】  プーリ（４８）と（５０）は、レバー（４９ａ）でつながれ、また、プーリ（５０）と（５２）は、レバー（５１ａ）でつながれ、前記レバーは、プーリ（５０）で関節連結され、それによって、プーリ（５０）は、プーリ（４８）及び（５２）に対して自由に移動し得ることを特徴とする請求項５に記載の装置。
【請求項７】  レバー（４９ａ）は、その方向に沿って前記第１、第２及び第３のロール（３、４、５）が自由に移動する共通の方向に略直交し、好ましくは、前記第３の半平面に略直交することを特徴とする請求項６に記載の装置。
【請求項８】  レバー（５１ａ）は、レバー（４９ａ）に略直交することを特徴とする請求項６又は７に記載の装置。
【請求項９】  プーリ（４８）と（５０）は、同じ直径を有することを特徴とする請求項５ないし８のいずれかに記載の装置。
【請求項１０】  レバー（４９ａ）、プーリ（４８）及び（５０）、及びベルト（４９）の総質量は、前記少なくとも１つの駆動ロールの質量の１０％以下であることを特徴とする請求項６ないし９のいずれかに記載の装置。
【請求項１１】  前記システムのモータは、据え置き型であることを特徴とする請求項４ないし１０のいずれかに記載の装置。
【請求項１２】  前記ウエブ（１）は、前記第１と第３のロール（３、５）との間を、続いて、前記第３のロール（５）と巻き取りロール（２）との間を通過し、しかし、前記第２のロール（４）と前記第３のロール（５）との間は通過せず、
前記第２のロール（４）及び第１のロール（３）の少なくとも１つが駆動され、前記第３のロール（５）は、前記第２のロール（４）又は第１のロール（３）の外周に沿って走らされ、それによって、前記第２のロール（４）又は第１のロール（３）は、前記第３のロール（５）を、前記ウエブ（１）の方向及び速度に略対応する方向に及び接線速度で、摩擦駆動により回転させることを特徴とする請求項１ないし１１のいずれかに記載の装置。
【請求項１３】  前記第２のロール（４）のみが駆動されることを特徴とする請求項１２に記載の装置。
【請求項１４】  第１及び第２のロール（３、４）が駆動されることを特徴とする請求項１２に記載の装置。
【請求項１５】  前記第３の半平面は、略垂直であることを特徴とする請求項１ないし１４のいずれかに記載の装置。
【請求項１６】  前記第３の半平面は、略水平であることを特徴とする請求項１ないし１４のいずれかに記載の装置。
【請求項１７】  請求項１ないし１６のいずれかに記載の装置を使用して、巻き取りロール（２）に少なくとも１枚のウエブ（１）を巻き取る方法。
【手続補正２】
【補正対象書類名】明細書
【補正対象項目名】０００６
【補正方法】変更
【補正の内容】
【０００６】
ウエブ巻き取り装置の例は、西独国特許第４３４３１７３号明細書及び欧州特許第５１４２２６号明細書に開示されている。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
（発明の概要）
研究は、以下のことを教えている。
（ａａ）高速運転での空気取り込み量を一定水準以下に維持するために、最も効果的な方法は、パックロールの直径を小さくすることである。
（ｂｂ）パックロール（又はその覆い）が巻き取りロールより柔らかく、あまりに多くの空気が取り込まれる場合、より硬い材料をパックロールに使用することにより問題は解決され得る。
（ｃｃ）取り込み空気量は、ニップの負荷を増大させることによって効果的に減少しない。前記負荷があまりに増大すると、その他の巻き取りの問題が発生し得る。
さらに、この研究は、パックロールのサイズを小さくすることの実用上の問題又は限界があり得る、例えば、パックロールがあまりに細いと、該パックロールは、非常に曲がり易くなる恐れがある、ことを教えている。しかしながら、空気取り込みの重要性のために細長いパックロールを設計することを示唆している。研究は、２つの可能な設計変更例の提案につながっている。第１の例は、ロールと巻き取りロールとの間の細長いロールを提案しており、ウエブは、ロールから細長いロールを経て、続いて巻き取りロールへと通過する。第２の例は、２つのロールと巻き取りロールとの間の細長いロールを提案しており、ウエブは、２つのロールの一方から細長いロールを経て、続いて巻き取りロールへと通過する。
しかしながら、これらの原則を実践するために、解決されるべき実用上の問題がいくつかある。細長いロールは、その小さい直径のせいで曲がり易くなっているので、第１の問題点は、ロールと巻き取りロールとの間の細長いロールの正しい位置を保障することにある。別の問題点は、細長いロール及びロールの接線速度が、ウエブの摩擦を避けるために、その長さ全体にわたってその間の各点において一致することを保障することにある。また、別の問題点は、巻き取りロールにウエブを巻き取る前に、ウエブの展開を保障することにある。すなわち、いったん巻き取りロールに巻き取られると、ウエブにしわが残ってしまう恐れがある。さらなる問題点は、ウエブの巻き取りの簡単な開始を可能にすることにある。困難性は、ロールと細長いロールとの間、及び細長いロールと巻き取りロールとの間をウエブに通過させることにある。さらに別の問題点は、結果として一様に空気を排除することになる巻き取りロールの幅全体にわたって圧力分布を適用することにある。
本発明の目的は、これらの問題を克服する、ウエブを巻き取りロールに巻き取る装置及び方法を提供することにある。
本発明の目的は、良好なかつ一様な空気排除、歪みのないウエブ、良好なウエブの展開ばかりでなく、巻き取りの簡単な開始を保障し、それによって巻き取りの速度及び品質を向上させる、巻き取りロールにウエブを巻き取る装置及び方法を提供することにある。
【手続補正１０】
【補正対象書類名】明細書
【補正対象項目名】００２３
【補正方法】変更
【補正の内容】
【００２３】
さて図２を参照して、ロール３とロール４との間の細長いロール５の正確な位置決めを保証する機構が説明される。図２は、装置が図１ｃの位置にあるときのロール３と４及び細長いロール５に関連する装置の一部分のみを示している。細長いロール５（その軸が３１で示されている）は、対応する複動加圧シリンダ（a double acting pressure cylinder）１９を介して各端部を保持されている。もっと正確に言えば、細長いロール５の各端部は、それぞれの加圧シリンダ１９のロッド２０の端部に関節式に連結されている。加圧シリンダ１９は、下方に向かって延在するそのロッド２０とともに、ほぼ垂直に延在することが好ましい。各加圧シリンダ１９は、それぞれのピボット・リンク２８を介してキャリッジ１２に連結されているそれぞれのアーム２７の端部に固定されていることが好ましい。ピボット・リンク２８は、アーム２７の中間部位に配列されていることが好ましい。各アーム２７の反対の端部は、それぞれの加圧シリンダ２５のロッド２６にピボット・リンク２９を介して連結されている。加圧シリンダ２５は、それぞれのピボット・リンク３０を介してキャリッジ１２に両方とも連結されている。加圧シリンダ２５は、ほぼ水平に延在することが好ましい。この構造は、加圧シリンダ１９と２５を制御することにより、細長いロール５の水平位置及び垂直位置を変更することを許す。したがって、図１ｂの位置から図１ｃの位置まで通過するとき、細長いロール５は、ロール４の下に、すなわち、細長いロール５がウエブ１に当接することなく、加圧シリンダ１９と２５のロッド２０と２６をいっぱいに伸びた位置にもたらすことにより、正しく位置決めされている。続いて、図１ｃの位置から図１ｄの位置へ通過させるために、ロッド２０が引き込まされ、それで、細長いロール５は、該ロール５がウエブ１を介してロール３にも当接するまで、ロール４の外周に沿って進む。この動作中、加圧シリンダ２５の圧力は、過度の力を加えることなく細長いロール５をロール４に当接した状態に維持するために、公知の方法で制御される。いったん細長いロール５がロール３に当接すると、細長いロール５が加圧シリンダ１９の牽引力（the pulling forces）を介してロール３と４によってのみ位置決めされるように、これ以上は加圧シリンダ２５にいかなる圧力も加えられないことが好ましい。
【手続補正１１】
【補正対象書類名】明細書
【補正対象項目名】００２５
【補正方法】変更
【補正の内容】
【００２５】
ロール３と４に関して、ロール３、４は、それぞれの支持体１３及び１４に両者とも回転可能に取り付けられている。ロール３、４の軸は、１７、１８で示されている。支持体１３及び１４は、すでに述べたようにロール３をロール４と連動させる連動機構を画成するように協力し合う。これについては、図３に関連して詳細に説明されるであろう。支持体１３は、キャリッジ１１に垂直方向に摺動可能に取り付けられており（案内手段は図示されていない）、例えば、複動加圧シリンダ２１を介して垂直に配置されている。同様に、支持体１４は、キャリッジ１２に垂直方向に摺動可能に取り付けられており（案内手段は図示されていない）、例えば、複動加圧シリンダ２３を介して垂直に配置されている。それで、加圧シリンダ２１及び２３は、下方に向かって延在するそれぞれのロッド２２及び２４とともに並行かつ垂直に延在している。加圧シリンダ１９、２１及び２３は、巻き取りロール２の直径の増加分を自動的に吸収する。しかしながら、これらの加圧シリンダは、例えば、数ミリメータに相当する確定され、検出された距離以上にロール３及び４及び細長いロール５を持ち上げるためにしか使用されない。次いで、完全なブロックがキャリッジ１１とキャリッジ１２とから形成される。該ブロックは、前記確定された高さ分持ち上げられこの新しい位置に閉じ込められる。一方、加圧シリンダ１９、２１及び２３は、ロール３及び４を細長いロール５に当接状態に及び細長いロール５を巻き取りロール２に当接状態に維持する。それから後、加圧シリンダ１９、２１及び２３は、完全なブロックが再度持ち上げられること等の後に、前記確定された距離からさらに引き込まされるまで、巻き取りロール２の直径の変動分を再度吸収する。
【手続補正１２】
【補正対象書類名】明細書
【補正対象項目名】００３７
【補正方法】変更
【補正の内容】
【００３７】
さらに好ましい実施態様では、同様の装置が提案されている。該装置は、水平方向に追従する空間を稼ぐことを許す。図１ａ−図１ｅに関連して示された実施態様において、ロール３は、ほぼ垂直に並べられて示されているロール８と９に対して横にシフトされている。同様に、ロール４と細長いロール５は、同様にほぼ垂直に並べられて示されているロール６と７に対して横にシフトされている。したがって、装置が図１ａのような開状態にあるとき、該装置は、水平方向に多少の場所を占める。例えば、１つのキャリッジにロール３を、別のキャリッジにロール８と９を取り付けることは可能である。両者は、横に移動可能である。同様に、ロール４と細長いロール５は、１つのキャリッジに取り付けられ得る。また、ロール６と７は、別のキャリッジに取り付けられる。両者は、横に移動可能である。したがって、装置が、図１ａの先の実施態様で示されるように、開状態にあるとき、アイドラ・ロール１０と巻き取りロール２との間のウエブ１の通路の一方の側にロール３、８及び９をほぼ垂直に並べることは可能である。また、前記通路の他方の側にロール４、６及び７をほぼ垂直に並べることが可能である。したがって、ロール８と９をロール３から前もって分離しておく水平距離及びロール４と細長いロール５をロール６と７から前もって分離しておく水平距離を節約することは可能である。次に、ロール３及びロール８と９を運ぶ２つのキャリッジは、ウエブ１に当接するために該ウエブ１に向けて同時に移動され得る。続いて（すなわち、最終的には同時に）ロール４、細長いロール５及びロール８と９を運ぶ２つのキャリッジは、ロール３と４及び細長いロール５が先に図１ｃで示されている位置まで、ウエブ１に向けて同時に移動され得る。この段階で、ロール８と９及びロール６と７は、ウエブ１に対して閉じられた前記あごを形成する。しかし、前記あごは、このとき、図５に示されるように、ロール３と４及び細長いロール５とほぼ垂直に並べられている。ロール６は、垂直位置に関し、ロール３と４よりわずかに上にある。この位置から、ロール８と９のキャリッジ及びロール６と７のキャリッジは、水平方向に同時にシフトされ、図１ｃに示される位置に達する。続いて、前記実施態様の次のステップが順当に実行される。しかしながら、前記シフトを動作させる前に、先の実施態様において図１ｃで述べられた装置の位置から図１ｄの位置へ進むことに関して述べられたステップを前もって達成することが可能である。
【手続補正１３】
【補正対象書類名】明細書
【補正対象項目名】００４０
【補正方法】変更
【補正の内容】
【００４０】
図６ｂに示されるように、ウエブ１は、また、ロール３と細長いロール５との間又はロール４と細長いロール５との間を通過することなく、細長いロール５と巻き取りロール２との間を直接通過することもできる。この場合、装置は、巻き取りロール２に巻き取り中、ロール３と４及び細長いロール５が全てウエブ１の通路の同じ側に配置される開位置を有することが好ましい。さらに、ロール３と４及び細長いロール５は、公称巻き取り位置においてそれらにすでに対応する相対的位置を有していることが好ましい。次に、（例えば、ロール３と４及び細長いロール５をその位置が固定され得る巻き取りロール２に向けて移動させることにより、又は、巻き取りロール２をその位置が固定され得る細長いロール５及びロール３と４に向けて移動させることにより）装置が公称巻き取り位置にもたらされると、ウエブ１は、適宜に通されるであろう。
【手続補正１４】
【補正対象書類名】明細書
【補正対象項目名】００４６
【補正方法】変更
【補正の内容】
【００４６】
水平配列の場合、ロール３、４及び５は、図８の実施態様に従って配列され得る。図８に示されるように、ロール４と５を運ぶ１つのキャリッジ３２があり、一方、ロール３は、キャリッジ３２に摺動可能に取り付けられることが好ましい、独立したキャリッジ３３に取り付けられている。キャリッジ３２は、キャリッジ３４にそれ自身摺動可能に取り付けられている。キャリッジ３４は、機械キャリッジであり、巻き取りロール２の直径が増大すると引き込まされる。矢印は、各キャリッジの移動を示している。
【手続補正１５】
【補正対象書類名】明細書
【補正対象項目名】００４８
【補正方法】変更
【補正の内容】
【００４８】
図１０は、上記実施態様の拡大側面図である。シャフト３５ａは、第１にロール５内へ十分な長さ、例えば、ロール５の直径の１−３倍、延在している。シャフト３５ａ及びロール５は、（転がり）軸受（不図示）を介して接続されている。シャフト３５ａは、そのもう一方の端部で、滑りテーブル３６ａに接続されている。滑りテーブルは、１つは、キャリッジ３２に固定され、もう１つは、滑り要素を示している２つの構成要素で概略的に表されている。シャフト３５ａと滑りテーブル３６ａとの間の接続は、玉継手（a ball-joint）３７ａを介して行われている。この玉継手は、ロール（３）、（４）及び（２）に対するロール（５）の自動調心機能を保証するように、テーブルとシャフトとの間の完全な角度の自由を保証することを許す。シャフト３５ａは、レバー３８ａに接続されている。レバーのねらいは、シャフト３５ａ及び結果としてロール５に曲げモーメントを適用することにある。レバーは、そのもう一方の端部で、移動ピストン（a displacing piston）３９ａに接続されている。該移動ピストン３９ａは、好ましくは加圧シリンダであり、矢印Ｆ１に従ってレバー２８ａの一方の端部を移動させる。次に、レバーは、シャフト３５ａに、結果としてロール５に、矢印Ｆ２で示される曲げモーメントを作用させる。移動ピストン３９ａは、また、滑りレール４０ａにさらに接続されている。該滑りレール４０ａは、（第３半平面（the third half-plane）のように略水平である）ラインに沿って自由に移動し得る。滑りテーブル３６ａ及び滑りレール４０ａは、関節連結された棒４１ａで接続されている。移動可能な状態は、図１１に概略的に示されている。該図１１において、Ａ１及びＡ２は、ピストン３９ａ及び玉継手３７ａの最初の位置を、Ａ３及びＡ４は、平行移動後の位置を、Ａ３及びＡ５は、さらに回転後の位置を示している。したがって、ロール５のロール３、４及び２の間の自動中心への自由移動は、単純にロール５の移動に従うレバー３８ａ及びピストン３９ａからなる曲げ機構により弱められない。
【手続補正１６】
【補正対象書類名】明細書
【補正対象項目名】００５６
【補正方法】変更
【補正の内容】
【００５６】
ステップ１（図１３ａ）．ウエブ１は、ロール３とロール４及び５との間を通過する。ロール３を運ぶキャリッジ３３は、上方位置にある。次に、ウエブは、補助ロール４６ｂを最初に通り過ぎ、芯（core）２’に巻き付けられている。タレットは、芯２と２’、及び補助ロール４５ａと４６ｂを備えている。このことは、タレットの上側で手動による通しを可能にする。
【手続補正１７】
【補正対象書類名】図面
【補正対象項目名】図７
【補正方法】変更
【補正の内容】
【図７】
2004516206.tif 000001
【手続補正１８】
【補正対象書類名】図面
【補正対象項目名】図８
【補正方法】変更
【補正の内容】
【図８】
2004516206.tif 000002
【手続補正１９】
【補正対象書類名】図面
【補正対象項目名】図９
【補正方法】変更
【補正の内容】
【図９】
2004516206.tif 000003
【手続補正２０】
【補正対象書類名】図面
【補正対象項目名】図１０
【補正方法】変更
【補正の内容】
【図１０】
2004516206.tif 000004
【手続補正２１】
【補正対象書類名】図面
【補正対象項目名】図１１
【補正方法】変更
【補正の内容】
【図１１】
2004516206.tif 000005
【手続補正２２】
【補正対象書類名】図面
【補正対象項目名】図１２
【補正方法】変更
【補正の内容】
【図１２】
2004516206.tif 000006
【手続補正２３】
【補正対象書類名】図面
【補正対象項目名】図１３ａ
【補正方法】変更
【補正の内容】
【図１３ａ】
2004516206.tif 000007
【手続補正２４】
【補正対象書類名】図面
【補正対象項目名】図１３ｂ
【補正方法】変更
【補正の内容】
【図１３ｂ】
2004516206.tif 000008
【手続補正２５】
【補正対象書類名】図面
【補正対象項目名】図１３ｃ
【補正方法】変更
【補正の内容】
【図１３ｃ】
2004516206.tif 000009
【手続補正２６】
【補正対象書類名】図面
【補正対象項目名】図１３ｄ
【補正方法】変更
【補正の内容】
【図１３ｄ】
2004516206.tif 000010
【手続補正２７】
【補正対象書類名】図面
【補正対象項目名】図１３ｅ
【補正方法】変更
【補正の内容】
【図１３ｅ】
2004516206.tif 000011
【手続補正２８】
【補正対象書類名】図面
【補正対象項目名】図１４ａ
【補正方法】変更
【補正の内容】
【図１４ａ】
2004516206.tif 000012
【手続補正２９】
【補正対象書類名】図面
【補正対象項目名】図１４ｂ
【補正方法】変更
【補正の内容】
【図１４ｂ】
2004516206.tif 000013
【手続補正３０】
【補正対象書類名】図面
【補正対象項目名】図１４ｃ
【補正方法】変更
【補正の内容】
【図１４ｃ】
2004516206.tif 000014
【手続補正３１】
【補正対象書類名】図面
【補正対象項目名】図１５
【補正方法】変更
【補正の内容】
【図１５】
2004516206.tif 000015
【手続補正３２】
【補正対象書類名】図面
【補正対象項目名】図１６
【補正方法】変更
【補正の内容】
【図１６】
2004516206.tif 000016